【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
精密播種器ヘッドであって、
任意の垂直場所において１つの種子を収容するようなサイズの内側円周を有する種子待ち行列管と、
デフォルト位置に位置するとき、前記種子待ち行列管を選択的に遮断し、解放位置に位置するとき、前記種子待ち行列管を選択的に遮断解除する第１の種子ホールドと、
前記第１の種子ホールドの下方の垂直位置に位置付けられる第２の種子ホールドであって、前記第２の種子ホールドは、デフォルト位置に位置するとき、前記種子待ち行列管を選択的に遮断し、解放位置に位置するとき、前記種子待ち行列管を選択的に遮断解除し、前記第１の種子ホールドと前記第２の種子ホールドとの間の間隔は、調節可能である、第２の種子ホールドと、
前記第１の種子ホールドの下方の垂直位置に位置付けられる光学センサであって、前記光学センサは、前記種子待ち行列管から分注された種子を検出するように適合される、光学センサと
を備える、精密播種器ヘッド。
【請求項２】
前記種子待ち行列管を選択的に遮断する方向において前記第１の種子ホールドに力を印加する第１のばねと、
前記第１のばねの力を選択的に克服し、前記種子待ち行列管を遮断解除する方向において前記第１の種子ホールドに力を印加する第１のアクチュエータと、
前記種子待ち行列管を選択的に遮断する方向において前記第２の種子ホールドに力を印加する第２のばねと、
前記第２のばねの力を選択的に克服し、前記種子待ち行列管を遮断解除する方向において前記第２の種子ホールドに力を印加する第２のアクチュエータと
をさらに備える、請求項１に記載の精密播種器ヘッド。
【請求項３】
前記第１の種子ホールドが、前記デフォルト位置にあり、かつ第２のアクチュエータが、前記解放位置にあるとき、前記第１の種子ホールドと前記第２の種子ホールドとの間に位置付けられ、前記第１の種子ホールドによって接触されない少なくとも１つの種子が、前記種子待ち行列管から分注される、請求項１に記載の精密播種器ヘッド。
【請求項４】
前記第１の種子ホールドと前記第２の種子ホールドとの間の間隔は、ある種子タイプの公称長さを上回り、前記種子タイプの公称長さの２倍よりも小さい、請求項１に記載の精密播種器ヘッド。
【請求項５】
前記種子待ち行列管から分注される種子の数量は、前記第１の種子ホールドおよび前記第２の種子ホールドがその個別の解放位置において維持されている持続時間および相対的タイミングに基づいて調節可能である、請求項１に記載の精密播種器ヘッド。
【請求項６】
播種器コンポーネントであって、
精密播種器ヘッドであって、
任意の垂直場所において１つの種子を収容するようなサイズの内側円周を有する種子待ち行列管と、
デフォルト位置に位置するとき、前記種子待ち行列管を選択的に遮断し、解放位置に位置するとき、前記種子待ち行列管を選択的に遮断解除する、第１の種子ホールドと
を備える、精密播種器ヘッドと、
種子を前記精密播種器ヘッドに送達する種子分離器と
を備え、
前記種子分離器は、連通管によって前記精密播種器ヘッドに結合される、播種器コンポーネント。
【請求項７】
前記種子分離器は、
種子を受容するための内部容積と、
種子を前記種子分離器の内部容積の中に指向させる種子摂取管と、
前記種子分離器の内部容積から種子を収集し、前記種子を前記連通管を通して前記精密播種器ヘッドに指向させる種子注入デバイスと
を備える、請求項６に記載の播種器コンポーネント。
【請求項８】
前記種子分離器はさらに、前記種子分離器の内部容積内に位置付けられる種子を励起するために、前記種子分離器を振動させる振動器を備える、請求項７に記載の播種器コンポーネント。
【請求項９】
前記種子分離器はさらに、前記種子分離器の内部容積を画定するために、種子保定壁を有する板と、前記板に結合されるキャップとを備える、請求項７に記載の播種器コンポーネント。
【請求項１０】
前記種子注入デバイスは、前記精密播種器ヘッドが前記種子待ち行列管から種子を分注する速度を上回る、またはそれに等しい速度において前記精密播種器ヘッドに種子を送達する、請求項７に記載の播種器コンポーネント。
【手続補正２】
【補正対象書類名】明細書
【補正対象項目名】０００７
【補正方法】変更
【補正の内容】
【０００７】
前述の一般的説明および以下の詳細な説明の両方は、単に、例示的であり、請求される主題の性質および特性を理解するための概観または枠組みを提供するように意図されることを理解されたい。付随の図面は、さらなる理解を提供するために含まれ、本明細書に組み込まれ、その一部を構成する。図面は、１つ以上の実施形態を図示し、説明とともに、種々の実施形態の原理および動作を説明する役割を果たす。
本願明細書は、例えば、以下の項目も提供する。
（項目１）
精密播種器ヘッドであって、
任意の垂直場所において１つの種子を収容するようなサイズの内側円周を有する種子待ち行列管と、
デフォルト位置に位置するとき、前記種子待ち行列管を選択的に遮断し、解放位置に位置するとき、前記種子待ち行列管を選択的に遮断解除する第１の種子ホールドと、
前記第１の種子ホールドの下方の垂直位置に位置付けられる光学センサであって、前記光学センサは、前記種子待ち行列管から分注された種子を検出するように適合される、光学センサと
を備える、精密播種器ヘッド。
（項目２）
前記第１の種子ホールドの下方の垂直位置に位置付けられる第２の種子ホールドであって、前記第２の種子ホールドは、デフォルト位置に位置するとき、前記種子待ち行列管を選択的に遮断し、前記解放位置に位置するとき、前記種子待ち行列管を選択的に遮断解除する、第２の種子ホールド
をさらに備える、項目１に記載の精密播種器ヘッド。
（項目３）
前記種子待ち行列管を選択的に遮断する方向において前記第１の種子ホールドに力を印加する第１のばねと、
前記第１のばねの力を選択的に克服し、前記種子待ち行列管を遮断解除する方向において前記第１の種子ホールドに力を印加する第１のアクチュエータと
をさらに備える、項目２に記載の精密播種器ヘッド。
（項目４）
前記種子待ち行列管を選択的に遮断する方向において前記第２の種子ホールドに力を印加する第２のばねと、
前記第２のばねの力を選択的に克服し、前記種子待ち行列管を遮断解除する方向において前記第２の種子ホールドに力を印加する第２のアクチュエータと
をさらに備える、項目３に記載の精密播種器ヘッド。
（項目５）
前記第１の種子ホールドが、前記デフォルト位置にあり、かつ第２のアクチュエータが、前記解放位置にあるとき、前記第１の種子ホールドと前記第２の種子ホールドとの間に位置付けられ、前記第１の種子ホールドによって接触されない少なくとも１つの種子が、前記種子待ち行列管から分注される、項目２に記載の精密播種器ヘッド。
（項目６）
前記第１の種子ホールドと前記第２の種子ホールドとの間の間隔は、調節可能である、項目２に記載の精密播種器ヘッド。
（項目７）
前記第１の種子ホールドと前記第２の種子ホールドとの間の間隔は、ある種子タイプの公称長さを上回り、前記種子タイプの公称長さの２倍よりも小さい、項目２に記載の精密播種器ヘッド。
（項目８）
前記種子待ち行列管から分注される種子の数量は、前記第１の種子ホールドおよび前記第２の種子ホールドがその個別の解放位置において維持されている持続時間および相対的タイミングに基づいて調節可能である、項目２に記載の精密播種器ヘッド。
（項目９）
前記第１の種子ホールドは、シャフト部分に結合される弾性先端を備え、前記弾性先端は、前記シャフト部分よりも低い弾性率を有する、項目１に記載の精密播種器ヘッド。
（項目１０）
播種器コンポーネントであって、
精密播種器ヘッドであって、
任意の垂直場所において１つの種子を収容するようなサイズの内側円周を有する種子待ち行列管と、
デフォルト位置に位置するとき、前記種子待ち行列管を選択的に遮断し、解放位置に位置するとき、前記種子待ち行列管を選択的に遮断解除する、第１の種子ホールドと
を備える、精密播種器ヘッドと、
種子を前記精密播種器ヘッドに送達する種子分離器と
を備える、播種器コンポーネント。
（項目１１）
前記種子分離器は、連通管によって前記精密播種器ヘッドに結合される、項目１０に記載の播種器コンポーネント。
（項目１２）
前記種子分離器は、
種子を受容するための内部容積と、
種子を前記種子分離器の内部容積の中に指向させる種子摂取管と、
前記種子分離器の内部容積から種子を収集し、前記種子を前記連通管を通して前記精密播種器ヘッドに指向させる種子注入デバイスと
を備える、項目１１に記載の播種器コンポーネント。
（項目１３）
前記種子分離器はさらに、前記種子分離器の内部容積内に位置付けられる種子を励起するために、前記種子分離器を振動させる振動器を備える、項目１２に記載の播種器コンポーネント。
（項目１４）
前記種子分離器はさらに、前記種子分離器の内部容積を画定するために、種子保定壁を有する板と、前記板に結合されるキャップとを備える、項目１２に記載の播種器コンポーネント。
（項目１５）
前記内部容積は、周囲環境に部分的に開放する、項目１２に記載の播種器コンポーネント。
（項目１６）
前記種子注入デバイスは、前記精密播種器ヘッドが前記種子待ち行列管から種子を分注する速度を上回る、またはそれに等しい速度において前記精密播種器ヘッドに種子を送達する、項目１２に記載の播種器コンポーネント。
（項目１７）
前記種子注入デバイスは、前記精密播種器ヘッドが前記種子待ち行列管から種子を分注する速度の約１０％以内の速度において前記精密播種器ヘッドに種子を送達する、項目１２に記載の播種器コンポーネント。
（項目１８）
前記種子注入デバイスは、単一の縦列待ち行列において前記精密播種器ヘッドに種子を送達する、項目１２に記載の播種器コンポーネント。
（項目１９）
前記第１の種子ホールドの下方の垂直位置に位置付けられる光学センサであって、前記光学センサは、前記種子待ち行列管から分注された種子を検出するように適合される、光学センサと、
前記第１の種子ホールドの下方の垂直位置に位置付けられる第２の種子ホールドであって、前記第２の種子ホールドは、デフォルト位置に位置するとき、前記種子待ち行列管を選択的に遮断し、前記解放位置に位置するとき、前記種子待ち行列管を選択的に遮断解除する、第２の種子ホールドと
をさらに備える、項目１０に記載の播種器コンポーネント。
（項目２０）
前記種子待ち行列管から分注される種子の数量は、前記第１の種子ホールドおよび前記第２の種子ホールドがその個別の解放位置において維持されている持続時間および相対的タイミングに基づいて調節可能である、項目１９に記載の播種器コンポーネント。